(57)【要約】【課題】開錠ナンバーを紛失したり、忘れたりときに、開錠ナンバーを再度見つけることができ、異なる開錠ナンバーに再設定することができる複合ロックアッセンブリを提供する。【解決手段】複合ロックアッセンブリは、ハウジング30、ダイヤル部10、キー部20及びナンバー検出手段33を有している。ダイヤル部10、キー部20及びナンバー検出手段33は、ハウジング30内に配置される。複合ロックアッセンブリは、キー及び開錠ナンバーにより開錠される。開錠ナンバーを紛失したり、忘れたときに、ナンバー検出手段33により開錠ナンバーを再び見つけることができ、複合ロックアッセンブリを開錠ナンバーで再度開錠することができる。【選択図】図１
2008196139.tif 000002
【特許請求の範囲】
【請求項１】
複合ロックアッセンブリであって、
ハウジング；
該ハウジング内に配置されたダイヤル部；
ハウジング内に、ダイヤル部と隣り合うように配置されたキー部；
ハウジング内に配置され、キー部に連繋される下側押出台座；
ハウジング内に配置され、下側押出台座に連繋される上側押出台座であって、
ハウジングを貫通して延びる貫通端と、上側押出台座の貫通端に形成された施錠スロットとを有する上側押出台座；
ダイヤル部に連繋される端部と、ハウジングから延出し、上側押出台座の施錠スロットに係合可能な施錠端とを有するボルト；
を有している複合ロックアッセンブリ。
【請求項２】
ハウジングは、
ハウジングを貫通し、ダイヤル部に対向して形成されたチェック用孔と、
ハウジング内に配置され、下側押出台座に連繋されるナンバー検出手段であって、ダイヤル部端と、該ダイヤル部端に形成され、ダイヤル部の方に延び、端部と該端部に貫通して形成された孔と有するフォークを有するナンバー検出手段と、
を有する請求項１に記載の複合ロックアッセンブリ。
【請求項３】
キー部は、外殻、回転ロッド、ピン、ピンスプリング及び下側ピン台座を有しており、
外殻は、外殻を貫通して形成された回転用孔と、外殻に形成され、外殻の回転用孔に連通する固定用孔と、外殻に形成され、外殻の固定用孔に対向して形成され、外殻の回転用孔に連通するピン用孔と、を有しており、
回転ロッドは、外殻の回転用孔内に延びる端部と、回転ロッドの端部に形成され、外殻の回転用孔の内部に配置され、上側ピン用孔を有する上側ピン台座と、外殻から延出し、曲線部を有する回転端と、を有しており、
下側ピン台座は、外殻内に配置されており、下側ピン台座は、下側ピン台座を貫通して形成され、回転ロッドの回転端が延出可能な貫通孔と、下側ピン台座に形成され、外殻のピン用孔に対向して形成されるピンスロットと、外殻のピン用孔と下側ピン台座のピンスロットの間に取り付けられ、下側ピン台座を外殻に固定するピンと、下側ピン台座に形成され、上側ピン台座の上側ピン用孔に対向して形成される下側ピン用スロットと、を有しており、
ピン及びピンスプリングは、上側ピン台座の上側ピン用孔と下側ピン台座の下側ピン用孔との間にスライド可能に配備され、
下側押出台座は、曲線部を有する孔と下側ガイド縁を有しており、曲線部を有する孔は、下側押出台座に貫通して形成され、回転ロッドの回転端が貫通して延出可能であり、下側ガイド縁は、下側押出台座に形成され、互いに対向し、曲面及び斜面があり、高点と低点を有し、
上側押出台座は、端部と、上側押出台座の端部に形成され、回転ロッドの回転端が内部に延出可能であり、内壁を有する下側スロットと、上側押出台座に形成され、互いに対向しており、下側押出台座の下側ガイド縁に当接可能であり、高点と低点を有する上側ガイド縁と、側壁と、上側押出台座の施錠端に被さるスプリングと、を有する、
請求項２に記載の複合ロックアッセンブリ。
【請求項４】
ダイヤル部は、複数のダイヤルリングと、複数の内リングを有しており、
各ダイヤルリングは、各ダイヤルリングを貫通して形成された中央孔を有し、該中央孔には、内側縁と、ダイヤルリングの中央孔の内側縁に形成された凹状歯とを有しており、
各中央孔の内側に配置された内側リングは、円滑面と、端部と、内側リングの端部に形成され、ダイヤルリングの凹状歯に係合可能なキャッピング歯と、内側リングの端部に形成されたガイド歯と、キャッピング歯間の内側リングの端部に形成された位置検出部と、内側リングに貫通して形成され、ボルトの端部が貫通して延出可能な貫通孔を有しており、
ボルトは、環状凹部と、ワッシャ、上側歯及び下側歯を有し、環状凹部は、ボルトの端部に形成され、ワッシャは、ボルトの環状凹部に取り付けられ、ボルトに内側リングを保持しており、ボルトの施錠端と端部の間に形成され、下側歯は、ボルトの請求項上端と端部の間に形成され、ダイヤル部の内側リングと係合している、
請求項３に記載の複合ロックアッセンブリ。
【請求項５】
内側リングは、内側リングの端部に形成されたガイド歯を有しており、
上側押出台座は、上側押出台座の側壁に形成された突条を有しており、
ハウジングは、２つの半体に分割され、各半体は、内面、キー部用半凹部及びダイヤル部用半凹部を有し、キー部用半凹部は、半体の内面に形成され、ダイヤル部用半凹部は、半体のキー部用半凹部に隣接するよう半体の内へ面に形成され、底面と、ダイヤル部用半凹部の底面を貫通するよう形成された切欠きを有し、ダイヤル部のダイヤルリングが延出可能であり、
一方の半体は、さらに、半体の内面に形成され、不動ブラケットが内面に取り付けられたブラケット凹部と、半体の内面に形成され、ナンバー検出手段が内側に取り付けられたナンバー検出凹部を有する、
請求項４に記載の複合ロックアッセンブリ。
【発明の詳細な説明】
【技術分野】
【０００１】
本発明は、複合ロックアッセンブリに関するものであり、より具体的には、開錠ナンバーを紛失したり、忘れてしまったときに、開錠ナンバーを再度見つけ出すことができる複合ロックアッセンブリに関するものである。
【背景技術】
【０００２】
従来の一般的な複合ロックアッセンブリは、ハウジング、ダイヤル部及びシャックル(Ｕ字型金具)を含んでいる。ダイヤル部は、ハウジングの内部に配備される。シャックルは、ダイヤル部に動作が規制される。シャックルは、ハウジングの外部に延出し、略中央位置にてＵ字型に屈曲している。シャックルの末端は、ハウジングに係合可能となっている。
【０００３】
シャックルには、末端部からロックしようとする物体を引っ掛けることができる。シャックルの末端部をハウジングに係合し、ダイヤル部のダイヤルリングをランダムなナンバーに回転させると、シャックルがハウジングに固定され、物体がロックされる。各ダイヤルリングを開錠ナンバーまで回転させると、シャックルを引っ張ることができ、シャックルの末端部がハウジングから離れて、物体を取外し可能となる。
【発明の開示】
【発明が解決しようとする課題】
【０００４】
上記複合ロックアッセンブリでは、一定期間使用しなかったり、急いでいる場合などに、使用者が、開錠ナンバーを思い出すことができず、開錠できないことがある。開錠ナンバーのわからない複合ロックアッセンブリは、力ずくで壊したり、廃棄されてしまうので、使い勝手がよいものではない。
【０００５】
上記課題を解消するために、本発明は、前述の問題を未然に防止し、又は、軽減する複合ロックアッセンブリを提供する。
【課題を解決するための手段】
【０００６】
本発明は、開錠ナンバーを紛失したり、忘れても、開錠ナンバーを再度見つけ出すことができる複合ロックアッセンブリを提供するものである。
また、本発明は、ダイヤル部の操作による開錠だけでなく、キーにより開錠することもできる複合ロックアッセンブリを提供するものである。
さらに、本発明は、開錠ナンバーを異なるナンバーに再設定することのできる複合ロックアッセンブリを提供するものである。
複合ロックアッセンブリは、ハウジング内に、ダイヤルリングの操作により開錠するダイヤル部と、キー操作により開錠するキー部と、開錠ナンバーを見つけ出すことができるナンバー検出手段を有する。
【発明の効果】
【０００７】
複合ロックアッセンブリは、キーと開錠ナンバーの何れによっても開錠することができる。開錠ナンバーを紛失したり、忘れた場合には、ナンバー検出手段によって、開錠ナンバーを再度見つけ出すことができ、複合ロックアッセンブリを開錠ナンバーで再度開錠することができる。また、開錠状態での操作により、開錠ナンバーを異なるナンバーに再設定することができる。
【０００８】
本発明の多の目的、利点及び新規な形態は、添付の図面と共に次の詳細な説明を参酌することで明らかとなるであろう。
【発明を実施するための最良の形態】
【０００９】
図１、図２及び図３に示すように、本発明に係る複合ロックアッセンブリは、ダイヤル部(10)、ボルト(13)、キー部(20)、ハウジング(30)、不動ブラケット(32)及びナンバー検知手段(33)を有している。
【００１０】
ダイヤル部(10)は、複数のダイヤルリング(11)と複数の内リング(12)を有する。図示の例では、ダイヤルリング(11)は３つであるが、ダイヤルリングの数はこれに限られるものではない。各ダイヤルリング(11)は、中央孔(111)と凹状歯(112)を有している。中央孔(111)は、ダイヤルリング(11)に形成されており、中央孔(111)の内縁に凹状歯(112)が刻設されている。図４に示すように、内リング(12)は、中央孔(111)の内部に夫々配置され、円滑面(121)、端部、キャッピング歯(122)、案内歯(123)、位置検出部(124)及び貫通孔(125)を有している。キャッピング歯(122)及び案内歯(123)は、内リングの端部に形成される。キャッピング歯(122)は、ダイヤルリング(11)の凹状歯(112)に係合可能となっている。位置検出部(124)は、キャッピング歯(122)間の内リング(12)の端部に形成される。貫通孔(125)は、内リング(12)を貫通するよう形成される。
【００１１】
ボルト(シャックル)(13)は、略Ｕ字型に屈曲している。ボルト(13)の一方の端部先端には、環状凹部(131)が形成されており、他方の端部が施錠端(133)となっている。環状凹部(131)側の直線部には、環状凹部(131)の上側に上側歯(134)と下側歯(135)が刻設されている。ボルト(13)の環状凹部(131)側の端部は、内リング(12)の貫通孔(125)を貫通して延びてワッシャ(132)止めされている。下側歯(135)が内リング(12)に係合することで、内リング(12)は、ボルト(13)上の所定位置に保持される。
【００１２】
図５に示すように、キー部(20)は、外殻(21)、回転ロッド(22)、ピン(23)、ピンスプリング(24)、下側ピン台座(25)、下側押出台座(26)、上側押出台座(27)及びスプリング(28)を有している。
【００１３】
外殻(21)には、回転用孔(211)、固定用孔(213)及びピン用孔(212)を具える。回転用孔(211)は、外殻(21)を貫通するように形成される。固定用孔(213)及びピン用孔(212)は、互いに対向するように外殻(21)に形成され、外殻(21)の回転用孔(211)に通じている。
【００１４】
回転ロッド(22)は、端部、上側ピン台座(221)及び回転端(223)を有する。回転ロッド(22)の端部は、外殻(21)の回転用孔(211)の内部に延びている。上側ピン台座(221)は、回転ロッド(22)の端部に形成され、外殻(21)の回転用孔(211)の内側に配備され、上側ピン用孔(222)を有する。上側ピン台座(221)に形成される。回転端(223)は、外殻(21)の外側に延びており、曲線部を有している。曲線部の形状として、半円柱形状を例示できる。
【００１５】
下側ピン台座(25)は、外殻(21)の内側に配置され、貫通孔(251)、ピンスロット(252)、ピン(253)及び下側ピンスロット(254)を有する。貫通孔(251)は、下側ピン台座(25)を貫通するように形成され、回転ロッド(22)の回転端(223)が貫通して延出可能となっている。ピンスロット(252)は、下側ピン台座(25)上に形成され、外殻(21)のピン用孔(212)に対応している。ピン(253)は、外殻(21)のピン用孔(212)と、下側ピン台座(25)のピンスロット(252)間に組み込まれ、下側ピン台座(25)を外殻(21)に固定している。下側ピンスロット(254)は、下側ピン台座(25)に形成され、上側ピン台座(221)の上側ピン用孔(222)に対向している。
【００１６】
ピン(23)及びピンスプリング(24)は、上側ピン台座(221)の上側ピン用孔(222)と、下側ピン台座(25)の下側ピンスロット(254)間にスライド可能に組み込まれている。
【００１７】
下側押出台座(26)は、曲線部を有する孔(261)、下側ガイド縁(262)、側面及び押出凹部(263)を有している。曲線部を有する孔(261)は、下側押出台座(26)を貫通しており、回転ロッド(22)の回転端(223)の延出を許容する。下側ガイド縁(262)は、互いに対向するように下側押出台座(26)に形成され、曲面及び斜面を有するものであり、高点及び低点を有している。押出凹部(263)は、下側押出台座(26)の側面に形成されている。
【００１８】
上側押出台座(26)は、端部、下側スロット(271)、上側ガイド縁(273)、側壁、突条(274)、貫通端(275)及び施錠スロット(276)を有する。下側スロット(271)は、上側押出台座(27)の端部に形成され、回転ロッド(22)の回転端(223)が内部に延出可能となっており、内壁と規制突出部(272)を有している。規制突出部(272)は、上側押出台座(27)の内壁に形成され、回転ロッド(22)の回転端(223)に当接可能となっている。上側ガイド縁(273)は、互いに対向するように上側押出台座(27)に形成され、下側押出台座(26)の下側ガイド縁(262)に当接可能となっており、高点及び低点を有している。突条(274)は、互いに対向するよう上側押出台座(27)の側壁に形成される。施錠スロット(276)は、上側押出台座(27)の貫通端(275)に形成され、ボルト(13)の施錠端(133)を選択的に受け止める。
【００１９】
スプリング(18)は、上側押出台座(27)の貫通端(275)に被さっている。
【００２０】
ハウジング(30)は、２つの半体(31)に分割される。各半体(31)は、内面、キー部用半凹部(311)及びダイヤル部用半凹部(311)を有する。キー部用半凹部(311)は、半体(31)の内面に形成され、底面及び従動凹部(312)を有する。従動凹部(312)は、半体(31)のキー部用半凹部(311)の底面に形成され、上側押出台座(27)の突条(274)の１つを受け止めることができる。ダイヤル部用半凹部(312)は、半体(31)のキー部用半凹部(311)に隣接するように半体(31)の内面に形成され、底面及び切欠き部(318)を有する。切欠き部(318)は、ダイヤル部用半凹部(312)の底面を貫通するように形成されており、ダイヤル部(10)のダイヤルリング(11)が延出可能となっている。ダイヤル部用半凹部(312)は、突出部(317)を有する。突出部(317)は、ダイヤル部用半凹部(312)の底面の切欠き部(318)間に形成され、ダイヤル部(10)の内リング(12)のキャッピング歯(122)に係合可能である。半体(31)の一方には、さらに、ロッド(314)、ブラケット凹部(316)及びナンバー検出用凹部(315)を有する。ロッド(314)、ブラケット凹部(316)及びナンバー検出用凹部(315)は、半体(31)の内面に形成され、半体(31)のキー部用半凹部(311)とダイヤル部用半凹部(312)間に位置している。ブラケット凹部(316)は、半体(31)のダイヤル部用半凹部(312)に連繋している。ナンバー検出用凹部(315)は、半体(31)のキー部用半凹部(311)に連繋している。他方の半体(31)には、さらに、チェック用孔(319)を有する。チェック用孔(319)は、切欠き部(318)間に半体(31)を貫通して形成されており、半体(31)のダイヤル部用凹部(312)に連通している。２つの半体(31)をハウジング(30)内で合体させると、２つのキー部用半凹部(311)をキー部(20)、下側押出台座(26)、上側押出台座(27)及びスプリング(28)を受け止めることができるようにキー部凹部内で合体する。上側押出台座(27)の貫通端(275)は、ハウジング(30)から外側に延び出ている。２つのダイヤル部用半凹部(312)は、ダイヤル部(10)を受け止めることができるようにダイヤル部凹部内で合体している。ボルト(13)のロック端は、ハウジング(30)から外側に延び出ている。ロッド(314)は、外殻(21)の固定用孔(213)内に延びており、ハウジング(30)の内側でキー部(20)を保持している。
【００２１】
不動ブラケット(32)は、半体(31)のブラケット凹部(316)に配置され、指部(321)を有する。指部(321)は、不動ブラケット(32)に形成され、半体(31)のダイヤル部用半凹部(312)に延び出ており、ダイヤル部(10)のダイヤルリング(11)に触れて、ダイヤル部(10)のダイヤルリング(11)を回転させたときに、ダイヤル部(10)のダイヤルリング(11)に適度な接触抵抗を与える。
【００２２】
ナンバー検出手段(33)は、ナンバー検出用凹部(315)に配置され、キー部端、ダイヤル部端、拡張部(331)、フォーク(332)、凹部(334)及びスプリング(335)を有する。拡張部(331)は、ナンバー検出手段(33)のキー部端に形成され、半体(31)のキー部用凹部(311)に延び出て、下側押出台座(26)の押出凹部(263)に当接可能となっている。フォーク(332)は、ナンバー検出手段(33)のダイヤル部端に形成され、半体(31)のダイヤル部用凹部(312)に延び出て、端部及び孔(333)を有する。孔(333)は、フォーク(332)の端部を貫通して形成される。凹部(334)は、ナンバー検出手段(33)のダイヤル部端に形成される。スプリング(335)は、ナンバー検出手段(33)の凹部(334)に配置される。
【００２３】
ダイヤル部(10)により開錠を行なう場合、図７に示すように、ダイヤル部(10)の各ダイヤルリング(11)を開錠ナンバーまで回転し、ボルト(13)を引っ張ればよい。これにより、ボルト(13)の上側歯(134)は、ハウジング(30)の内側から離れると共に、ボルト(13)の施錠端(133)は、上側押出台座(27)の施錠スロット(276)から外れて、複合ロックアッセンブリが開錠される。
【００２４】
キーにより開錠を行なう場合には、図２、図６及び図８に示すように、キー(図示せず)をキー部(20)の外殻(21)に下側から挿入し、回転させる。これにより、下側押出台座(26)が、キーと共に回転する。上側押出台座(27)の規制突出部(272)と、回転ロッド(22)の回転端(223)が当接することで、下側押出台座の回転は、ある角度内だけに制限される。下側押出台座(26)が回転することで、下側押出台座(26)の下側ガイド縁(262)と、上側押出台座(27)の上側ガイド縁(273)は、夫々の高点から低点まで移動する。この状態で、上側押出台座(27)が、スプリング(28)によって下側押出台座(26)の方に押されて、ハウジング(30)内に後退することで、ボルト(13)の施錠端(133)は、上側押出台座(27)の施錠スロット(276)から外れ、複合ロックアッセンブリが開錠する。
【００２５】
一方、下側押出台座(26)を回転させると、ナンバー検出手段(33)が、ダイヤル部(10)側に押され、ナンバー検出手段(33)の孔(333)が、ハウジング(30)のチェック用孔(319)と整列し、チェック用孔(319)からハウジング(30)内の内リング(12)を目視することができる。開錠ナンバーを見つけ出すには、使用者は、チェック用孔(319)を通して、内リング(12)を参照しつつ、ダイヤルリング(11)を回転させればよい。ダイヤルリング(11)を回転させたときに、内リング(12)の位置検出部(124)がチェック用孔(319)から見えた状態のナンバーが夫々のダイヤルリング(11)の開錠ナンバーとなる。なお、位置検出部(124)は、視認し易いように、凹状又は凸状に形成したり、赤色等の着色を施すことが望ましい。
図９に示すように、ハウジング(30)のチェック用孔(319)、ナンバー検出手段(33)の孔(333)、及び、ダイヤル部(10)の位置検出部(124)がすべて一列に並んだときに、ダイヤル部(10)の開錠ナンバーを再度知ることができ、ダイヤル部(10)による開錠を行なうことができる。
【００２６】
キーを差し込んだ状態で、施錠位置までキー部を回転させると、下側押出台座(26)の下側ガイド縁(262)と、上側押出台座(27)の上側ガイド縁(273)が、夫々低点から高点まで移動し、上側押出台座(27)の施錠端(133)は、ハウジングから押し出される。上側押出台座(27)の施錠スロット(276)が、ボルト(13)の施錠端(133)を受け止めて、複合ロックアッセンブリが、再度施錠される。
【００２７】
開錠ナンバーを変えたい場合には、図１０に示すように、まず、ダイヤル部(10)を開錠状態にして、ボルト(13)の施錠縁(130)を１８０度回転させる。ダイヤル部(10)が開錠状態のとき、ハウジング(30)の突出部(317)は、ダイヤル部(10)の案内歯(123)が通過することを許容し、ボルト(13)をハウジング(30)内に押し込むことができる。ボルト(13)をハウジング(30)の内側方向に押し込むと、内側リング(12)のキャッピング歯(122)と、ダイヤルリング(11)の凹状歯(112)は、互いに外れて、内側リング(12)がボルト(13)と共に下方向に移動する。
ダイヤルリング(11)は、内側リング(12)の円滑面(121)にあるため、ダイヤルリング(11)を回転させると、内側リング(12)は、ダイヤルリング(11)と共に回転せずに、ダイヤルリング(11)をどのナンバーにも回転させることができる。使用者が、各ダイヤルリング(11)を所望のナンバーまで回転させることで、新たな開錠ナンバーが設定され、この状態で、ボルト(13)を引っ張ってハウジング(30)から引き出すと、内側リング(12)が再度ボルトと共に移動して、内側リング(12)のキャッピング歯(122)と、ダイヤルリング(11)の凹状歯(112)が互いに係合する。ボルト(13)を元の位置まで引き戻すことで、ボルト(13)は、再度回転可能となり、新たな開錠ナンバーの設定が完了する。
【００２８】
本発明の複合ロックアッセンブリは、キーと、開錠ナンバーの何れでも開錠することができる。また、ダイヤル部(10)の開錠ナンバーを紛失したり、忘れても、ナンバー検出手段(33)とキー部(20)をキーにより動作させることで、開錠ナンバーを見つけることができ、複合ロックアッセンブリを使い勝手よく用いることができる。
【００２９】
本発明についての多くの特徴と利点は、本発明の構造と目的を詳細に説明するために、上記において説明しているが、これら開示は、説明のみを目的とするものである。従って、本発明の原理に含まれる範囲で、特に、部品の形状、大きさ、及び、配置に関する変更を行うことができ、添付の特許請求の範囲に記載された用語の意味は広く解釈されるべきである。
【産業上の利用可能性】
【００３０】
本発明は、開錠ナンバーを紛失したり、忘れたりときに、開錠ナンバーを再度見つけることができ、異なる開錠ナンバーに再設定することができる複合ロックアッセンブリとして有用である。
【図面の簡単な説明】
【００３１】
【図１】図１は、本発明に係る複合ロックアッセンブリの分解斜視図である。
【図２】図１の複合ロックアッセンブリの斜視図である。
【図３】図１の複合ロックアッセンブリの部分断面斜視図である。
【図４】図１の複合ロックアッセンブリの部分断面図である。
【図５】図１のキー部の分解斜視図である。
【図６】図１の複合ロックアッセンブリの部分断面図である。
【図７】図１の複合ロックアッセンブリの部分断面図である。
【図８】図１の複合ロックアッセンブリの部分断面図である。
【図９】図１の複合ロックアッセンブリの部分断面図である。
【図１０】図１の複合ロックアッセンブリの部分断面図である。
【符号の説明】
【００３２】
(10)  ダイヤル部
(20)  キー部
(30)  ハウジング
(33)  ナンバー検出手段
【図１】
2008196139.tif 000003
【図２】
2008196139.tif 000004
【図３】
2008196139.tif 000005
【図４】
2008196139.tif 000006
【図５】
2008196139.tif 000007
【図６】
2008196139.tif 000008
【図７】
2008196139.tif 000009
【図８】
2008196139.tif 000010
【図９】
2008196139.tif 000011
【図１０】
2008196139.tif 000012